(57)【要約】【課題】複数の色および強度を提供する照明を制御して、簡単に色再現を拡張した大型ディスプレイ装置を得る。【解決手段】屋内照明５ｘを補完して大型ディスプレイ１０を照明するように配置され、色及び強度が制御される複数の専用照明４ａ、４ｂ、４ｃと、大型ディスプレイ１０に表示される画像を評価部３１で分析し、照明選択部３２により専用照明４ａ、４ｂ、４ｃを選択して、専用照明の色及び強度を制御する制御部３とを有し、表示される画像に適した照明を用いることで、色再現範囲を拡張させ、表示画像の表現力を向上させるようにした。【選択図】図１
2007325829.tif 000002
【特許請求の範囲】
【請求項１】
外光を反射することで表示する反射型デバイスを多数配列した大型ディスプレイ装置において、上記大型ディスプレイ装置を照明するように配置され、それぞれ色温度の異なる複数の照明手段、及び上記大型ディスプレイ装置に表示される画像に対応して、上記複数の照明手段の内から少なくとも一つを選択する制御手段を備えたことを特徴とする大型ディスプレイ装置。
【請求項２】
上記大型ディスプレイ装置は、舞台の背景として配置され、上記制御手段は、上記舞台での公演の進行に連動して、上記照明手段の選択を行うことを特徴とする請求項１記載の大型ディスプレイ装置。
【請求項３】
上記照明手段は、上記大型ディスプレイ装置に表示される画像の変化に連動して可動するように上記制御手段によって制御される可動手段を有することを特徴とする請求項１記載の大型ディスプレイ装置。
【請求項４】
映像を投射する映像投射手段、及び上記大型ディスプレイ装置の表示画面に白表示領域を設けるとともに、上記白表示領域に映像を投射するように上記映像投射手段を制御する映像投射制御手段を備えたことを特徴とする請求項１記載の大型ディスプレイ装置。
【請求項５】
上記大型ディスプレイ装置の表示画面にテキスト表示領域を設けるとともに、上記テキスト表示領域にテキストを表示するテキスト制御手段を備えたことを特徴とする請求項１記載の大型ディスプレイ装置。
【発明の詳細な説明】
【技術分野】
【０００１】
この発明は、外光を反射することにより表示を行う反射型デバイスを多数配列した大型ディスプレイ装置に関するものである。
【背景技術】
【０００２】
従来の反射型デバイスにより表示を行うディスプレイは、反射型デバイスと、この反射型デバイスを駆動させる駆動回路と、画像データの送信制御および照明の制御を行う制御部とから構成される。照明の制御方法は、タイマーにより指定された時刻になると自動的に電源がＯＮ、ＯＦＦになる制御等が考えられる。このディスプレイは、自発光ではない反射型デバイスであり、外光によりその内容を表示するため、外光の少ない夜間は単一色の照明を利用して画像の表示を行っている。
特許文献１は、周囲光の色温度を検出して、映像信号を補正して、表示画像の色温度を自動調整するものが記載されている。
【０００３】
【特許文献１】特開２００３−７００１７号公報（第２〜３頁、図１）
【発明の開示】
【発明が解決しようとする課題】
【０００４】
従来の反射型デバイスにより表示を行うディスプレイは、以上のように構成されているので、他のＬＥＤ等の自発光のディスプレイと比較して、表示状態が照明手段の性能により支配され、画像データによっては表現力が不足していた。例えば、赤みの強い色温度３５００Ｋの照明では、赤色は良く見えるが青色が悪く見え、青みの強い９３００Ｋの照明では逆に赤色が悪く見える、つまり色再現が悪くなるといった問題があった。
特許文献１では、周囲光の色温度を検出して、映像信号を補正するものであり、検出及び補正に複雑な技術が必要である。
【０００５】
この発明は、上記のような課題を解決するためになされたものであり、簡単に色再現を拡張した大型ディスプレイ装置を得ることを目的としている。
【課題を解決するための手段】
【０００６】
この発明に係わる大型ディスプレイ装置は、外光を反射することで表示する反射型デバイスを多数配列した大型ディスプレイ装置において、大型ディスプレイ装置を照明するように配置され、それぞれ色温度の異なる複数の照明手段、及び大型ディスプレイ装置に表示される画像に対応して、複数の照明手段の内から少なくとも一つを選択する制御手段を備えたものである。
【発明の効果】
【０００７】
この発明は、以上説明したように、外光を反射することで表示する反射型デバイスを多数配列した大型ディスプレイ装置において、大型ディスプレイ装置を照明するように配置され、それぞれ色温度の異なる複数の照明手段、及び大型ディスプレイ装置に表示される画像に対応して、複数の照明手段の内から少なくとも一つを選択する制御手段を備えたので、表示される画像に適した照明手段を用いることで、表示画像の色再現範囲を拡張させ、表現力を向上させることができる。
【発明を実施するための最良の形態】
【０００８】
実施の形態１．
以下、この発明の実施の形態１を図を用いて説明する。
図１は、この発明の実施の形態１による大型ディスプレイ装置を示す構成図である。
図１において、外光を反射することにより表示を行う反射型デバイスを多数配列した大型ディスプレイ１０は、駆動回路２により駆動される。制御部３（制御手段）は、入力される画像データを駆動回路２に送信する送信制御および専用照明４（照明手段）の制御を行う。制御部３は、評価部３１と、照明選択部３２を有し、評価部３１は、制御部３に入力された画像データの分析を行う。照明選択部３２は、評価部３１で分析された画像データに基づいて、使用する専用照明４を決定する。
反射型の大型ディスプレイ１０は、屋内に配置すると、色温度６０００Ｋ程度の十分な明るさを有する通常の屋内照明５ｘにより、表示された画像については、ある程度の画質を確保できる。一方、画面が大きいので、反射型の大型ディスプレイ１０の専用照明４を追加して、画面上の照度の向上を図ることで、画像の明るさや色を改善する。
専用照明４は、任意の種類、数を有し、これらを照明選択部３２で選択できるが、ここでは専用照明４ａ、４ｂ、４ｃの３種類を想定し、例えば専用照明４ａは色温度９０００Ｋ、専用照明４ｂは色温度６０００Ｋ、専用照明４ｃは色温度３０００Ｋを想定している。
なお、制御部３により制御される専用照明のひとつであるスポットライト４ｅについては、実施の形態２で説明する。
図２は、この発明の実施の形態１による大型ディスプレイ装置の制御部の動作を示すフローチャートである。
【０００９】
次に、動作について説明する。
反射型の大型ディスプレイ１０は、色合いの異なる任意の画像が表示されることから、通常の屋内照明５ｘに加えて、画像に合わせて３種類の専用照明４（ａ）、４（ｂ）、４（ｃ）の中から適切な照明を選択できるようにする。表示画像に対して、照明の質を適正化し、色の再現を強調すると、表示画像の表現力を向上させることができる。
【００１０】
例えば、赤みがかった画像には、色温度３０００Ｋの専用照明４ｃを追加し、青みがかった画像の場合、色温度９０００Ｋの専用照明４ａを追加する。
あるいは、通常の屋内照明５ｘと同様の色温度６０００Ｋの専用照明４ｂを選択し、これをスポットライトのように照射することにより、画像の注目ポイントを強調することもできる。専用照明４は、複数の照明ランプを設けても良いし、色が可変の一つのランプを使用しても良い。
【００１１】
画像に対応する専用照明４は、画像を分析することによって自動制御することができる。図２は、図１に使用される反射型の大型ディスプレイ１０を制御する制御部３の動作を説明するフローチャートである。
図２で、制御部３に画像データが入力されると（ステップＳ１）、評価部３１にて入力された画像データの分析を行う（ステップＳ２）。評価部３１で分析された画像データに基づいて照明選択部３２にて使用する照明を決定する。データの分析方法は、画像のＲ、Ｇ、Ｂ各データの大小関係を比較する方法などがある。
【００１２】
例えば、画像データ分析の結果、赤みがかった画像の場合、色温度３０００Ｋの専用照明４ｃが選択される。反対に、青みがかった画像の場合、色温度９０００Ｋの専用照明４ａが選択される。偏りのない画像の場合、色温度６０００Ｋの専用照明４ｂが選択される（ステップＳ３）。使用する照明が決定されると制御部３にて照明に対し、照明点灯の信号を送信し（ステップＳ４）、その後、画像データを表示する（ステップＳ５）。
なお、専用照明４は、一つを選択しても良いし、複数を選択しても良い。
【００１３】
実施の形態１によれば、以上のように、表示する画像データによって使用する専用照明を自動選択することで、容易に表示画像の色再現を良くし、表現力を向上させることが可能となる。
【００１４】
実施の形態２．
図３は、この発明の実施の形態２による大型ディスプレイを劇場の背景に用いた例を示す配置図である。
図３において、反射型の大型ディスプレイ１０は、劇場２０（舞台）の背景に使用されている。この大型ディスプレイ１０により、観視対象の背景画像として、劇やイベントの進行を盛り上げることができる。劇場２０には、屋内照明５ｙ１、屋内照明５ｙ２、屋内照明５ｙ３が備えられており、表示された画像については、屋内照明５ｙ１、５ｙ２、５ｙ３によってある程度の画質を確保できる。専用照明としては、４ａ、４ｂ、４ｃに加えて、注目ポイントにスポットライトを当てるスポットライト４ｅが設けられている。
ここで、観視対象としての劇（イベント）などの公演の進行と連動して反射型の大型ディスプレイ１０による背景画像を制御し、さらに画像に合わせて制御可能な専用照明４ａ、専用照明４ｂ、専用照明４ｃを配置して制御すると、劇、イベントの演出効果を高めることができる。劇場２０は、ステージ以外の部分は暗いので、適切な照明が反射型の大型ディスプレイ１０の性能を生かし、さらにスポットライト４ｅにより注目ポイントを強調すると、効果的である。
図４は、この発明の実施の形態２による大型ディスプレイの動作を示すスケジュール図である。
【００１５】
次に、動作について説明する。
図４のように、劇やイベントの進行に合わせて、時刻１から時刻ｎまでのタイミングで、シーン１からシーンｎの画像が表示され、ぞれぞれのタイミングで所定の専用照明４が選択されて点灯する。
まず、時刻１にシーン１の画像が表示される。この画像を夕焼けの画像などの赤っぽい画像とすると、オペレータは、事前に専用照明１として色温度３０００Ｋの専用照明４ｃを準備し、時刻１にシーン１の画像の表示タイミングに対応して専用照明４ｃを点灯する。次いで、時刻２に、シーン２の画像が表示される。この画像を海や山などの青っぽい画像とすると、専用照明２として、色温度９０００Ｋの専用照明４ａが選択され、点灯される。
次いで、時刻３のシーン３で、街中などの平均した画像が表示された場合には、専用照明３として６０００Ｋの専用照明４ｂが点灯される。時刻４のシーン４では、ハイライトシーンなどの注目ポイントのある画像が表示され、専用照明４としてスポットライト４ｅが当てられる。
【００１６】
実施の形態２によれば、このように、シーン１からシーンｎまで、画像に応じて適切な専用照明を使用すると、反射型の大型ディスプレイ１０の画像の表示に対応してステージの演出効果を高めることができる。
なお、専用照明は、一つを選択しても良いし、複数を選択しても良い。
【００１７】
実施の形態３．
図５は、この発明の実施の形態３による大型ディスプレイの照明を示す配置図である。
図５において、１０、２０、４ａ、４ｂ、４ｃ、５ｙ１、５ｙ２、５ｙ３は図３におけるものと同一のものである。図５では、専用照明４ａ、４ｂ、４ｃは角度を可変にする可動部（可動手段）を有する。可動照明４ｄは、制御部３によって制御される可動部（可動手段）を有し、画像にしたがって移動することができる。
【００１８】
反射型の大型ディスプレイ１０を劇場２０の背景に使用すると、背景画像は、劇、イベントのシーンに応じて任意の画像を表示できる。背景画像の変化に連動して専用照明４の配置や角度を制御すると、背景画像に合わせて適切な照明が可能となり、表示の演出効果をさらに高めることができる。
【００１９】
次に、動作について説明する。
図５において、専用照明４ａ、４ｂ、４ｃは、角度が変化し、可動照明４ｄは、位置が変化する。背景画像の注目ポイントは、画像の変化に対応して変化する。また、同じ画像でも、劇、イベントの進行に合わせて注目ポイントが変化する場合がある。
例えば、図５において、背景画像の注目ポイントをＡ部とする。画像の変化あるいは劇、イベントの進行に合わせて注目ポイントがＢ部に変化すると、Ｂ部を強調するような照明が必要となる。実施の形態５では、専用照明に角度や位置を変化させる可動部を設けたので、注目ポイントに応じた照明が可能となる。
専用照明４の制御は、図４と同様、背景画像のシーンに応じてプログラムしておき、劇やイベントの進行に合わせて自動的に制御することもできる。
【００２０】
実施の形態３によれば、専用照明の角度や位置を変化させるようにしたので、注目ポイントが変化する場合にも、シーンに応じた照明を行うことができる。
【００２１】
実施の形態４．
図６は、この発明の実施の形態４による大型ディスプレイの照明を示す配置図である。
図６において、１０、２０、４ａ、４ｂ、４ｃ、５ｙ１、５ｙ２、５ｙ３は図３におけるものと同一のものである。図６では、大型ディスプレイ画面に白表示部１０ａを形成し、そこにプロジェクター５０により映像を投射する。
【００２２】
図７は、この発明の実施の形態４による大型ディスプレイを示す構成図である。
図７において、２、３、４ａ、４ｂ、４ｃ、１０、３１、３２は図１におけるものと、１０ａ、５０は図６におけるものとそれぞれ同一のものである。５ｙは図６の５ｙ１、５ｙ２、５ｙ３である。図７では、プロジェクター５０（映像投射手段）を制御部３のプロジェクタ制御部３３（映像投射制御手段）によって制御する。
【００２３】
反射型の大型ディスプレイ１０は、白を表示したときの反射率が高くなるように設計される。したがって、反射型の大型ディスプレイ１０の画面全体、あるいは画面の一部を白表示部１０ａとして白表示状態にすると、その部分にビデオ映像などを投射することが可能になる。
【００２４】
劇場２０の背景に反射型の大型ディスプレイ１０を設置し、その一部を白表示状態の白表示部１０ａにして、そこにプロジェクター５０が映像を投射する。制御部３は、プロジェクター制御部３３を有し、画像データの特定領域を白表示に制御して、この領域にプロジェクター５０の画像を表示する。高反射率の反射型デバイスを使用することで、白表示の領域である白表示部１０ａは、プロジェクター５０のスクリーンとして機能する。白表示部１０ａは、面積を可変にすることが可能で、白表示領域のサイズに応じて、プロジェクター５０の投射領域を制御できる。
映像を大面積に投射する場合には、一般に十分な輝度は得難いが、劇場２０などのように周囲が暗い環境では、相対的に明るく見えて、高画質が期待される。
反射型の大型ディスプレイ１０の画面は、静止画の表示とビデオ映像の投射による動画の表示との組み合わせて様々な表示をすることにより、劇やイベントのシーンに対応して演出効果を高めることができる。
また、上述では、劇場２０における用途で説明したが、劇場２０に限らず、反射型の大型ディスプレイ１０を会議室の壁面に設けて、プレゼンテーションに使用することも可能である。
【００２５】
実施の形態４によれば、静止画と動画の表示を組み合わせることにより、劇やイベントのシーンに対応して演出効果を高めることができる。
また、このような、反射型の大型ディスプレイ１０の表示と投射画像の組み合わせにより、様々な用途への適用が可能である。
【００２６】
実施の形態５．
図８は、この発明の実施の形態５による大型ディスプレイの照明を示す配置図である。
図８において、１０、４ａ、４ｂ、４ｃ、５ｙ１、５ｙ２は図３におけるものと、５ｘは図１におけるものとそれぞれ同一のものである。図８では、大型ディスプレイ１０の画面にテキストを表示するテキスト表示部１０ｂが設けられ、ショーウィンド３０に配置され、ショーウィンド３０には、対象商品６０が陳列されている。
【００２７】
図９は、この発明の実施の形態５による大型ディスプレイを示す構成図である。
図９において、２、３、４ａ、４ｂ、４ｃ、１０、３１、３２は図１におけるものと、１０ｂ、３０、６０は図８におけるものとそれぞれ同一のものである。５ｙは図８の５ｙ１、５ｙ２である。図９では、画像データ中の文字情報をテキスト制御部７（テキスト制御手段）により、大型ディスプレイ１０のテキスト表示部１０ｂに表示する。
【００２８】
実施の形態５は、大型ディスプレイ１０をショーウィンド３０の背景として設置したものである。反射型の大型ディスプレイ１０をショーウィンドウ３０の背景に設置すると、陳列した対象商品６０をアピールするための補助設備として利用することができる。
図８は、ショーウィンドウ３０に幼児用品を展示した例である。ショーウィンドウ３０は、各種の商品が陳列され、環境の屋内照明５ｘ、反射型の大型ディスプレイ１０の専用照明４ａ、４ｂ、４ｃ、対象商品６０のための照明５ｙ１、５ｙ２が設けられる。
【００２９】
特にショーウィンドウ３０は、環境の屋内照明５ｘに加え、対象商品６０のための照明５ｙ１、５ｙ２、さらに反射型の大型ディスプレイ１０の専用照明４ａ、４ｂ、４ｃを使用することによって、大型ディスプレイ１０の表示画面の照度を十分に確保することができ、したがって、反射型の大型ディスプレイ１０は、良好な画質が得られる。
図９の制御部３は、テキスト制御部７にデータを渡し、大型ディスプレイ１０の特定領域であるテキスト表示部１０ｂに文字情報を表示するようにした。
例えば、対象商品６０の使用環境を想定した背景画像を表示する場合、対象商品６０の背景画像に対応した特徴を文字情報としてテキスト表示部１０ｂに表示することによって、陳列する対象商品６０の用途や特徴をアピールする上で効果的である。
【００３０】
実施の形態５によれば、対象商品６０の背景画像を変えたり、照明の種類を変えて画質を変えたりして、陳列する対象商品のイメージをアピールできる。
【図面の簡単な説明】
【００３１】
【図１】この発明の実施の形態１による大型ディスプレイ装置を示す構成図である。
【図２】この発明の実施の形態１による大型ディスプレイ装置の制御部の動作を示すフローチャートである。
【図３】この発明の実施の形態２による大型ディスプレイを劇場の背景に用いた例を示す配置図である。
【図４】この発明の実施の形態２による大型ディスプレイの動作を示すスケジュール図である。
【図５】この発明の実施の形態３による大型ディスプレイの照明を示す配置図である。
【図６】この発明の実施の形態４による大型ディスプレイの照明を示す配置図である。
【図７】この発明の実施の形態４による大型ディスプレイを示す構成図である。
【図８】この発明の実施の形態５による大型ディスプレイの照明を示す配置図である。
【図９】この発明の実施の形態５による大型ディスプレイを示す構成図である。
【符号の説明】
【００３２】
２  駆動回路、３  制御部、４ａ，４ｂ，４ｃ  専用照明、
４ｄ  可動照明、４ｅ  スポットライト、５ｘ  屋内照明、
５ｙ，５ｙ１，５ｙ３，５ｙ３  屋内照明、７  テキスト制御部、
１０  大型ディスプレイ、１０ａ  白表示部、１０ｂ  テキスト表示部、
２０  劇場、３０  ショーウィンドウ、３１  評価部、３２  照明選択部、
３３  プロジェクター制御部、５０  プロジェクター、６０  対象商品。
【図１】
2007325829.tif 000003
【図２】
2007325829.tif 000004
【図３】
2007325829.tif 000005
【図４】
2007325829.tif 000006
【図５】
2007325829.tif 000007
【図６】
2007325829.tif 000008
【図７】
2007325829.tif 000009
【図８】
2007325829.tif 000010
【図９】
2007325829.tif 000011